(57)【特許請求の範囲】
【請求項１】
上部に螺合等によって固定されるポンプ部が設けられると共に、下端部が開放された外枠体と、該外枠体に対して、下方側から着脱自在である内枠体とが用意されており、
外枠体から取り外した内枠体内に詰め替え用包装体を収容して外枠体の下端部側から嵌挿させる際に前記ポンプ部の注出口と連通する突き刺し管を前記詰め替え用包装体に液密状態で突き刺して該詰め替え用包装体内の液体を前記注出口から抽出可能にする構成のポンプ付き液体容器において、
前記外枠体の下端部側から前記内枠体を嵌挿させる際に、
前記外枠体の下端部と前記内枠体の上端部とが重なり始める前の位置では、前記突き刺し管の先端位置が前記詰め替え用包装体の突き刺し箇所の位置と同一又は上方の位置に存在し、
前記外枠体の下端部と前記内枠体の上端部とが重なり始める位置では、前記突き刺し管の先端が前記詰め替え用包装体に突き刺され始める位置に存在し、
前記外枠体に前記内枠体が嵌挿され終わった位置では、前記突き刺し管の吸液部が前記詰め替え用包装体の内部の位置に存在する構成
であることを特徴とするポンプ付き液体容器。
【請求項２】
前記突き刺し管の先端が前記詰め替え用包装体の突き刺され始めた位置にあるときに、前記外枠体の下端部と前記内枠体の上端部との重なりが少なくとも５ｍｍ以上となる構成であることを特徴とする請求項１に記載のポンプ付き液体容器。
【請求項３】
前記突き刺し管の先端が前記詰め替え用包装体の突き刺され始めた位置にあるときに、前記外枠体の下端部と前記内枠体の上端部との重なりが少なくとも１０ｍｍ以上となる構成であることを特徴とする請求項１に記載のポンプ付き液体容器。
【請求項４】
前記突き刺し管の先端が前記詰め替え用包装体の突き刺され始めた位置にあるときに、前記外枠体の下端部と前記内枠体の上端部との重なりが少なくとも１５ｍｍ以上となる構成であることを特徴とする請求項１に記載のポンプ付き液体容器。
【請求項５】
前記内枠体の上端部の高さが、詰め替え用包装体を収容した時の該詰め替え用包装体の上端の高さと同一又は低いことを特徴とする請求項１〜４のいずれかに記載のポンプ付き液体容器。
【請求項６】
前記内枠体の上端部の高さが、詰め替え用包装体を収容した時の該詰め替え用包装体の高さの２分の１より高いことを特徴とする請求項５に記載のポンプ付き液体容器。
【請求項７】
前記内枠体の上端部の高さが、詰め替え用包装体を収容した時の該詰め替え用包装体の高さの３分の２より高いことを特徴とする請求項５に記載のポンプ付き液体容器。
【請求項８】
前記内枠体の上端部の高さが、詰め替え用包装体を収容した時の該詰め替え用包装体の高さの４分の３より高いことを特徴とする請求項５に記載のポンプ付き液体容器。
【請求項９】
前記内枠体の上端部の高さが、詰め替え用包装体を収容した時の該詰め替え用包装体の高さの５分の４より高いことを特徴とする請求項５に記載のポンプ付き液体容器。
【請求項１０】
前記突き刺し管の先端が外枠体の下端部より突出しない構成であることを特徴とする請求項１〜９のいずれかに記載のポンプ付き液体容器。
【請求項１１】
前記外枠体と内枠体の少なくともいずれか一方に空気抜き透孔が形成されていることを特徴とする請求項１〜１０のいずれかに記載のポンプ付き液体容器。
【請求項１２】
前記内枠体の底部に空気抜き透孔が形成されていることを特徴とする請求項１〜１１のいずれかに記載のポンプ付き液体容器。
【請求項１３】
前記外枠体及び内枠体の少なくとも一部を透明ないしは半透明の材料で形成することにより、前記突き刺し管による前記詰め替え用包装体への突き刺しが確認できる構成であることを特徴とする請求項１〜１２のいずれかに記載のポンプ付き液体容器。
【請求項１４】
前記外枠体及び内枠体の少なくとも一部に開口部を形成することにより、前記突き刺し管による前記詰め替え用包装体への突き刺しが確認できる構成であることを特徴とする請求項１〜１３のいずれかに記載のポンプ付き液体容器。
【請求項１５】
前記詰め替え用包装体が、可撓性を有すると共に、前記突き刺し管が突き刺される突き刺し箇所の液密性及び気密性を保持可能な膜で構成されていることを特徴とする請求項１〜１４のいずれかに記載のポンプ付き液体容器。
【請求項１６】
前記突き刺し箇所の液密性及び気密性を保持可能な膜が、未延伸ナイロンフィルムとポリオレフィン系樹脂フィルムを含む積層フィルムで構成されていることを特徴とする請求項１５に記載のポンプ付き液体容器。
【発明の詳細な説明】
【技術分野】
【０００１】
本発明はポンプ付き容器に関し、詳しくは補充用の新液を詰め替え用包装体に充填して提供する態様に利用されるポンプ付き液体容器に関する。
【背景技術】
【０００２】
詰め替え用包装体を収容するポンプ付き液体容器としては、特許文献１〜５等に記載があり、また、詰め替え用包装体に関しては、特許文献６〜８等に記載がある。
【０００３】
詰め替え用包装体を収容するポンプ付き液体容器は、液を使い切ると、液の無くなった包装体を取り出して、新液が充填されている詰め替え用包装体を装填するが、その際に、ポンプの吸液管の先端を包装体の上部に突き刺してポンプが作動できるように正確にセットすることが要求される。この作業は煩雑なだけでなく、しばしばセットが不正確でポンプがうまく作動しない事態が生じている。
【０００４】
そこで本出願人は、詰め替え用包装体の装填が容易である改良されたポンプ付き液体容器について先に提案した（特許文献９）。
【０００５】
この先提案技術は、突き刺し管の先端部が上部枠体の下端部より突出しない構成と、下部枠体に収容した詰め替え用包装体の上部よりも上部枠体に嵌挿される嵌挿内壁部の上端の高さを高く形成した構成と、によって、詰め替え用包装体上部の最適箇所に突き刺し管を突き刺すことができるようにすることで詰め替え用包装体の装填を容易且つ確実に行えるようにしたものである。
【０００６】
【特許文献１】特開平０４−３２１０７１
【特許文献２】特開平０４−３２１０７２
【特許文献３】特開平０５−０３７６６０
【特許文献４】特開平０６−１７１６９８
【特許文献５】特開平０９−０９５３７６
【特許文献６】特開平０７−００２２８４
【特許文献７】特開平０７−１７２４６６
【特許文献８】特開平０７−２２３６５１
【特許文献９】特開２００２−０６８３４５
【発明の開示】
【発明が解決しようとする課題】
【０００７】
本発明者は、詰め替え用包装体の装填作業について、より容易に且つより確実に行えるよう当該技術について更に研究を続けた結果、詰め替え用包装体上部の最適箇所に突き刺し管を突き刺すための構成として、前記先提案技術の構成である、下部枠体に収容した詰め替え用包装体の上部よりも上部枠体に嵌挿される嵌挿内壁部の上端の高さを高く形成した構成が必ずしも最適ではなく、改良の余地があることが判った。
【０００８】
また、前記先提案技術では、詰め替え用包装体を下部枠体に収容する際に、該詰め替え用包装体を下部枠体に全てが収まるように詰め込まなければならないが、収容前は不定形である詰め替え用包装体を下部枠体内に押し込むように収容する作業は指先の力や握力の弱い者（老人等）には困難且つ煩雑な作業であり、装填の確実性を下げてしまい易いという不都合を有していることも判った。
【０００９】
そこで本発明の課題は、詰め替え用包装体の装填をより容易に且つより確実に行うことができるポンプ付き液体容器を提供することにある。
【課題を解決するための手段】
【００１０】
上記課題を解決する本発明は、下記構成を有する。
【００１１】
１．上部に螺合等によって固定されるポンプ部が設けられると共に、下端部が開放された外枠体と、該外枠体に対して、下方側から着脱自在である内枠体とが用意されており、
外枠体から取り外した内枠体内に詰め替え用包装体を収容して外枠体の下端部側から嵌挿させる際に前記ポンプ部の注出口と連通する突き刺し管を前記詰め替え用包装体に液密状態で突き刺して該詰め替え用包装体内の液体を前記注出口から抽出可能にする構成のポンプ付き液体容器において、
前記外枠体の下端部側から前記内枠体を嵌挿させる際に、
前記外枠体の下端部と前記内枠体の上端部とが重なり始める前の位置では、前記突き刺し管の先端位置が前記詰め替え用包装体の突き刺し箇所の位置と同一又は上方の位置に存在し、
前記外枠体の下端部と前記内枠体の上端部とが重なり始める位置では、前記突き刺し管の先端が前記詰め替え用包装体に突き刺され始める位置に存在し、
前記外枠体に前記内枠体が嵌挿され終わった位置では、前記突き刺し管の吸液部が前記詰め替え用包装体の内部の位置に存在する構成
であることを特徴とするポンプ付き液体容器。
【００１２】
２．前記突き刺し管の先端が前記詰め替え用包装体の突き刺され始めた位置にあるときに、前記外枠体の下端部と前記内枠体の上端部との重なりが少なくとも５ｍｍ以上となる構成であることを特徴とする上記１に記載のポンプ付き液体容器。
【００１３】
３．前記突き刺し管の先端が前記詰め替え用包装体の突き刺され始めた位置にあるときに、前記外枠体の下端部と前記内枠体の上端部との重なりが少なくとも１０ｍｍ以上となる構成であることを特徴とする上記１に記載のポンプ付き液体容器。
【００１４】
４．前記突き刺し管の先端が前記詰め替え用包装体の突き刺され始めた位置にあるときに、前記外枠体の下端部と前記内枠体の上端部との重なりが少なくとも１５ｍｍ以上となる構成であることを特徴とする上記１に記載のポンプ付き液体容器。
【００１５】
５．前記内枠体の上端部の高さが、詰め替え用包装体を収容した時の該詰め替え用包装体の上端の高さと同一又は低いことを特徴とする上記１〜４のいずれかに記載のポンプ付き液体容器。
【００１６】
６．前記内枠体の上端部の高さが、詰め替え用包装体を収容した時の該詰め替え用包装体の高さの２分の１より高いことを特徴とする上記５に記載のポンプ付き液体容器。
【００１７】
７．前記内枠体の上端部の高さが、詰め替え用包装体を収容した時の該詰め替え用包装体の高さの３分の２より高いことを特徴とする上記５に記載のポンプ付き液体容器。
【００１８】
８．前記内枠体の上端部の高さが、詰め替え用包装体を収容した時の該詰め替え用包装体の高さの４分の３より高いことを特徴とする上記５に記載のポンプ付き液体容器。
【００１９】
９．前記内枠体の上端部の高さが、詰め替え用包装体を収容した時の該詰め替え用包装体の高さの５分の４より高いことを特徴とする上記５に記載のポンプ付き液体容器。
【００２０】
１０．前記突き刺し管の先端が外枠体の下端部より突出しない構成であることを特徴とする上記１〜９のいずれかに記載のポンプ付き液体容器。
【００２１】
１１．前記外枠体と内枠体の少なくともいずれか一方に空気抜き透孔が形成されていることを特徴とする上記１〜１０のいずれかに記載のポンプ付き液体容器。
【００２２】
１２．前記内枠体の底部に空気抜き透孔が形成されていることを特徴とする上記１〜１１のいずれかに記載のポンプ付き液体容器。
【００２３】
１３．前記外枠体及び内枠体の少なくとも一部を透明ないしは半透明の材料で形成することにより、前記突き刺し管による前記詰め替え用包装体への突き刺しが確認できる構成であることを特徴とする上記１〜１２のいずれかに記載のポンプ付き液体容器。
【００２４】
１４．前記外枠体及び内枠体の少なくとも一部に開口部を形成することにより、前記突き刺し管による前記詰め替え用包装体への突き刺しが確認できる構成であることを特徴とする上記１〜１３のいずれかに記載のポンプ付き液体容器。
【００２５】
１５．前記詰め替え用包装体が、可撓性を有すると共に、前記突き刺し管が突き刺される突き刺し箇所の液密性及び気密性を保持可能な膜で構成されていることを特徴とする上記１〜１４のいずれかに記載のポンプ付き液体容器。
【００２６】
１６．前記突き刺し箇所の液密性及び気密性を保持可能な膜が、未延伸ナイロンフィルムとポリオレフィン系樹脂フィルムを含む積層フィルムで構成されていることを特徴とする上記１５に記載のポンプ付き液体容器。
【発明の効果】
【００２７】
請求項１に示す発明によれば、詰め替え用包装体の装填をより容易に且つより確実に行うことができるポンプ付き液体容器を提供することができる。
【００２８】
特に、外枠体と内枠体との嵌挿に際して、外枠体の下端部と内枠体の上端部が重なり始める前の時点では突き刺し管は詰め替え用包装体に突き刺されず、外枠体の下端部と内枠体の上端部が重なり始める状態に嵌挿されてから詰め替え用包装体に突き刺し管が突き刺され始める構成によって、この嵌挿動作が突き刺し管の突き刺し動作のガイド機能を果たすことになるので、詰め替え用包装体上部の最適箇所に突き刺し管を容易且つ確実に突き刺すことができる。
【００２９】
請求項２に示す発明によれば、突き刺し管の突き刺し動作のガイド機能を果たすことになる外枠体の下端部と内枠体の上端部との嵌挿動作がより安定するので、詰め替え用包装体上部の最適箇所に突き刺し管をより容易且つより確実に突き刺すことができる。
【００３０】
請求項３に示す発明によれば、突き刺し管の突き刺し動作のガイド機能を果たすことになる外枠体の下端部と内枠体の上端部との嵌挿動作が更に安定するので、詰め替え用包装体上部の最適箇所に突き刺し管を更に容易且つ更に確実に突き刺すことができる。
【００３１】
請求項４に示す発明によれば、突き刺し管の突き刺し動作のガイド機能を果たすことになる外枠体の下端部と内枠体の上端部との嵌挿動作がとりわけ安定するので、詰め替え用包装体上部の最適箇所に突き刺し管をとりわけ容易且つとりわけ確実に突き刺すことができる。
【００３２】
請求項５に示す発明によれば、内枠体の上端部を収容した詰め替え用包装体よりも高く形成しなくても、詰め替え用包装体上部の最適箇所に突き刺し管を突き刺すことができる。
【００３３】
請求項６に示す発明によれば、詰め替え用包装体の全てが内枠体に収まるように詰め込んでいた先提案技術と異なり、詰め替え用包装体の２分の１以上が内枠体に収まっていれば収容時の形状が安定するので、該詰め替え用包装体上部の最適箇所に突き刺し管を突き刺すことができる。尚、内枠体の上端部より突出する詰め替え用包装体の一部が、内枠体と外枠体との嵌挿時のガイド機能の補助を果たすことになるので、嵌挿動作をより安定させることができる。
【００３４】
請求項７に示す発明によれば、詰め替え用包装体の全てが内枠体に収まるように詰め込んでいた先提案技術と異なり、詰め替え用包装体の３分の２以上が内枠体に収まっていれば収容時の形状が安定するので、該詰め替え用包装体上部の最適箇所に突き刺し管を突き刺すことができる。尚、内枠体の上端部より突出する詰め替え用包装体の一部が、内枠体と外枠体との嵌挿時のガイド機能の補助を果たすことになるので、嵌挿動作をより安定させることができる。
【００３５】
請求項８に示す発明によれば、詰め替え用包装体の全てが内枠体に収まるように詰め込んでいた先提案技術と異なり、詰め替え用包装体の４分の３以上が内枠体に収まっていれば収容時の形状が安定するので、該詰め替え用包装体上部の最適箇所に突き刺し管を突き刺すことができる。尚、内枠体の上端部より突出する詰め替え用包装体の一部が、内枠体と外枠体との嵌挿時のガイド機能の補助を果たすことになるので、嵌挿動作をより安定させることができる。
【００３６】
請求項９に示す発明によれば、詰め替え用包装体の全てが内枠体に収まるように詰め込んでいた先提案技術と異なり、詰め替え用包装体の５分の４以上が内枠体に収まっていれば収容時の形状が安定するので、該詰め替え用包装体上部の最適箇所に突き刺し管を突き刺すことができる。尚、内枠体の上端部より突出する詰め替え用包装体の一部が、内枠体と外枠体との嵌挿時のガイド機能の補助を果たすことになるので、嵌挿動作をより安定させることができる。
【００３７】
請求項１０に示す発明によれば、鋭利な先端を有する突き刺し管の先端が露出しないので安全性の面で好ましい。
【００３８】
請求項１１に示す発明によれば、外枠体と内枠体との嵌挿時の空気抜き孔となるので前記嵌挿がスムースとなる。
【００３９】
請求項１２に示す発明によれば、外枠体と内枠体との嵌挿時の空気抜き孔となるので前記嵌挿がスムースとなるだけでなく、水抜き孔としても機能するので、水場で用いた場合であっても内部に内部に入り込む水を排出することができる。
【００４０】
請求項１３に示す発明によれば、詰め替え用包装体への突き刺し管の突き刺しを確認することができるだけでなく、使用時の詰め替え用包装体内の溶液の残量も確認することができる。
【００４１】
請求項１４に示す発明によれば、詰め替え用包装体への突き刺し管の突き刺しを確認することができるだけでなく、使用時の詰め替え用包装体内の溶液の残量も確認することができる。
【００４２】
請求項１５に示す発明によれば、詰め替え用包装体が可撓性を有するので内枠体への収容の際には該内枠体内に柔軟に収容させることができる。また、突き刺し管を突き刺した突き刺し箇所の液密性及び気密性を保持できるので、詰め替え用包装体内の溶液を最後まで使いきることができる。
【００４３】
請求項１６に示す発明によれば、突き刺し管と突き刺し箇所の液密性及び気密性を確実に保持することができる。
【発明を実施するための最良の形態】
【００４４】
以下、本発明に係るポンプ付き液体容器を詳細に説明する。
【００４５】
図１は本発明に係るポンプ付き液体容器の一実施例を示す拡散分解正面図及び正面図、図２は外枠体と内枠体との嵌挿状態を説明する概略説明図、図３は突き刺し管の先端が詰め替え用包装体の突き刺し箇所に接した際の外枠体の下端部と内枠体の上端部との重なり状態を説明する概略説明図、図４は内枠体に詰め替え用包装体を収容した状態を示す正面図、図５は内枠体の底部の一例を示す底面図、図６は外枠体及び内枠体の端面形状を示す端面図、図７は外枠体の他の実施例を示す正面図、図８は内枠体の他の実施例を示す正面図、図９は突き刺し管の吸液部の他の実施例を示す要部正面図である。
【００４６】
図１に示すように、本発明に係るポンプ付き液体容器（以下、単に液体容器ということもある。）１は、ポンプ部２が設けられると共に下端部３１が開放された外枠体３と、該外枠体３に対して、下方側から着脱自在である内枠体４とが用意されており、外枠体３から取り外した内枠体４内に詰め替え用包装体５を収容して外枠体３の下端部３１側から嵌挿させる際に前記ポンプ部２の注出口２１と連通する突き刺し管２２を前記詰め替え用包装体５に液密状態で突き刺して該詰め替え用包装体５内の液体を前記注出口２１から抽出可能にする構成を有する。
【００４７】
外枠体３及び内枠体４の少なくとも一部を透明ないしは半透明の材料で形成することが好ましい。透明ないしは半透明の材料で形成することにより、突き刺し管２２による詰め替え用包装体５への突き刺しが確認できるだけでなく、使用時の詰め替え用包装体５内の溶液の残量も確認することができる。
【００４８】
ポンプ部２は、この種のポンプ式の液体容器に用いられる公知公用のポンプを特別の制限なく用いることができ、注出口２１の付設された押下操作部２３を押下操作することで液体を抽出する構成に限らず、トリガー操作によって液体の抽出を行うトリガー操作部を有する構成、或いはその他の構成であってもよい。尚、ポンプ部２のポンプ構成については、この種の液体容器に用いられる一般的なポンプ構成であるため、本明細書ではポンプ部２のポンプ機構についての説明は省略する。尚また、本実施例では、ポンプ部２は螺合部２４を介して外枠体３の上部に螺合取り付けされることで着脱可能となっているが、本発明はかかる構成に限らず、取付部分が外枠体３と一体的に形成された構成や着脱不可能に形成された構成等であってもよい。
【００４９】
突き刺し管２２は、先端２５が詰め替え用包装体５に突き刺し可能な先鋭状態に形成されており、該先端２５の部分にポンプ部２及び注出口２１に連通することで詰め替え用包装体５内の液体を吸液する吸液部２６が設けられている。
【００５０】
突き刺し管２２の先端２５は、詰め替え用包装体５への突き刺し性の観点から先鋭状態に形成されているため、鋭利な先端２５が外枠体３の下端部３１より突出しない構成であることが安全性の点で好ましい。
【００５１】
詰め替え用包装体５は、可撓性を有すると共に、前記突き刺し管２２が突き刺される突き刺し箇所５１の液密性及び気密性を保持可能な膜で構成されているこの種の詰め替え用包装体として公知公用のものが特別の制限なく用いられる。前記突き刺し箇所５１の液密性及び気密性を保持可能な膜としては具体的には未延伸ナイロンフィルムとポリオレフィン系樹脂フィルムを含む積層フィルムを挙げることができる。
【００５２】
詰め替え用包装体５に充填する内容物である溶液は、必ずしも液体に限られることはなく、ゲル状或いはゼリー状等の流動体であればよい。例えば、シャンプー、リンス、液体ハミガキ、消毒用アルコール、ソース、醤油、サラダオイル等を挙げることができる。
【００５３】
次に、外枠体３と内枠体４との嵌挿、並びにかかる嵌挿による詰め替え用包装体５への突き刺し管２２の突き刺し構成について図２に基き説明する。
【００５４】
先ず、外枠体３の下端部３１側から内枠体４を嵌挿させる際に、前記外枠体３の下端部３１と前記内枠体４の上端部４１とが重なり始める前の位置、即ち、図２の（Ａ）に示すように、外枠体３の下端部３１と内枠体４の上端部４１が接近しつつも未だ離れた位置にある際には、突き刺し管２２の先端２５の位置は詰め替え用包装体５の突き刺し箇所５１の上方の位置に存在する状態になっており、図２の（Ｂ）に示すように、外枠体３の下端部３１と内枠体４の上端部４１が同一位置となった際には、突き刺し管２２の先端２５の位置が詰め替え用包装体５の突き刺し箇所５１の位置と同一又は上方の位置（本実施例では同一の位置、即ち、接する位置）に存在する状態になっている。
【００５５】
そして、図２の（Ｃ）に示すように、外枠体３の下端部３１と前記内枠体４の上端部４１とが重なる位置まで嵌挿されることで、突き刺し管２２の先端２５が詰め替え用包装体５に突き刺されることになる。
【００５６】
即ち、外枠体３の下端部３１と内枠体４の上端部４１が重なる前の時点では詰め替え用包装体５に突き刺し管２２は突き刺されず、外枠体３の下端部３１と内枠体４の上端部４１が重なり始める状態に嵌挿されてから詰め替え用包装体５に突き刺し管２２の先端２５が突き刺され始める構成である。かかる構成によって、この嵌挿動作が突き刺し管２２の突き刺し動作のガイド機能を果たすことになるので、詰め替え用包装体５上部の最適箇所である突き刺し箇所５１に突き刺し管２２を容易且つ確実に突き刺すことができる。
【００５７】
更に、図２の（Ｄ）に示すように、外枠体３と内枠体４とを完全に嵌挿させ終わることで、突き刺し管２２の吸液部２６が詰め替え用包装体５の内部の位置に存在することになり、該詰め替え用包装体５内の液体の吸液、注出口２１からの抽出が可能となる。
【００５８】
外枠体３と内枠体４との嵌挿の固定手段としては、本実施例では外枠体３の内面下方に設けた凸条螺旋部３２と内枠体４の外面に設けた凸条螺旋部４２との螺合によって係止することで固定する構成を採っているが、本発明は当該構成に限定されず、外枠体３と内枠体４との嵌合係止による固定であってもよいし、外枠体３と内枠体４のいずれか一方に凸部を設け、他方に該凸部が嵌合する凹部又は透孔部を設けることで、前記凸部が前記凹部又は透孔部に嵌合することで係止固定する構成等であってもよい。
【００５９】
突き刺し管２２の先端２５が詰め替え用包装体５の突き刺し箇所５１に接した際の外枠体３の下端部３１と内枠体４の上端部４１との重なり状態については、前述した図２の（Ｂ）に示す実施例では、外枠体３の下端部３１と内枠体４の上端部４１が同一位置、即ち、重なり始める時点の状態であるが、好ましくは、突き刺し管２２の先端２５が突き刺し箇所５１に接した際に外枠体３の下端部３１と内枠体４の上端部４１とが既に重なり始めていることである。この突き刺し管２２の先端２５が突き刺し箇所５１に接した際の外枠体３の下端部３１と内枠体４の上端部４１との重なり（図３に符号Ｌとして示す）は、好ましくは少なくとも５ｍｍ以上であり、より好ましくは１０ｍｍ以上であり、とりわけ好ましくは１５ｍｍ以上である。この外枠体３の下端部３１と前記内枠体４の上端部４１との重なり部分が突き刺し管２２の突き刺し動作のガイド機能を果たし、外枠体３と内枠体４との嵌挿動作がより安定するので、詰め替え用包装体５の突き刺し箇所５１に突き刺し管２２をより容易且つより確実に突き刺すことができることになる。
【００６０】
次に、内枠体４への詰め替え用包装体５の収容状態について図４に基き説明する。
【００６１】
内枠体４に詰め替え用包装体５を収容した際の該内枠体４の上端部４１の高さの上限としては、収容した詰め替え用包装体５の上端５２の高さと同じ高さ（符号４１Ａで示す位置）であり、詰め替え用包装体５の上端５２より低いことが好ましい。詰め替え用包装体５を収容した時に内枠体４の中に該詰め替え用包装体５が埋没しない構成であることが好ましく、より好ましくは内枠体４に収容した詰め替え用包装体５の上部の一部が該内枠体４の上端部４１から露出する構成である。
【００６２】
また、内枠体４に詰め替え用包装体５を収容した際の該内枠体４の上端部４１の高さの下限としては、内枠体４に詰め替え用包装体５を安定した形状で収容させるために、収容した詰め替え用包装体５は２分の１以上が内枠体４に収まった状態となっていること、即ち、詰め替え用包装体５を収容した時の該詰め替え用包装体５の高さの２分の１より内枠体４の上端部４１の高さ（符号４１Ｂで示す位置）が高いことが好ましい。
【００６３】
更に、収容した詰め替え用包装体５の形状をより安定化させるためには、収容した詰め替え用包装体５は３分の２以上が内枠体４に収まった状態となっている構成、即ち、詰め替え用包装体５を収容した時の該詰め替え用包装体５の高さの３分の２より内枠体４の上端部４１の高さ（符号４１Ｃで示す位置）が高い構成であることであり、更に、収容した詰め替え用包装体５の形状をとりわけ安定化させるためには、収容した詰め替え用包装体５は４分の３以上が内枠体４に収まった状態となっている構成、即ち、詰め替え用包装体５を収容した時の該詰め替え用包装体５の高さの４分の３より内枠体４の上端部４１の高さ（符号４１Ｄで示す位置）が高い構成であることであり、更にまた、収容した詰め替え用包装体５の形状をとりわけ特に安定化させるためには、収容した詰め替え用包装体５は５分の４以上が内枠体４に収まった状態となっている構成、即ち、詰め替え用包装体５を収容した時の該詰め替え用包装体５の高さの５分の４より内枠体４の上端部４１の高さ（符号４１Ｅで示す位置）が高い構成であることである。これらの構成とすることにより、詰め替え用包装体５は収容時の形状が安定するので、上部の最適箇所５１への突き刺し管２２の突き刺しがより確実となる。尚、内枠体４の上端部４１より詰め替え用包装体５の一部が突出した状態で収容されることにより、この突出した部分が外枠体３と内枠体４との嵌挿時のガイド機能の補助を果たすことになるので、嵌挿動作をより安定させることができる。
【００６４】
以上、本発明に係るポンプ付き液体容器の実施例について説明したが、本発明は上記実施例に限定されず、本発明の範囲内において他の態様を採ることもできる。
【００６５】
例えば、外枠体３と内枠体４の少なくともいずれか一方に空気抜き透孔を形成することが好ましい（図示は省略）。該透孔は、外枠体３と内枠体４との嵌挿時に作用する空気抜き孔となる。
【００６６】
また、図５に示すように、内枠体４の底部に空気抜き透孔４３を形成することが好ましい。該空気抜き透孔４３は、外枠体３と内枠体４との嵌挿時に作用する空気抜き孔となるだけでなく、水場等で用いた場合に液体容器１の内部に内部に入り込む水を排出する水抜き孔としても機能する。
【００６７】
更に、図６に示すように、外枠体３及び内枠体４は端面形状が円形｛図６の（Ａ）参照｝、楕円形｛図６の（Ｂ）参照｝、矩形｛図６の（Ｃ）参照｝等のように、この種の液体容器として公知公用の形状を特別の制限なく採ることができる。
【００６８】
更に、内枠体の図７に示すように、外枠体３の一部に開口部３３を形成することにより、突き刺し管２２による詰め替え用包装体５への突き刺しを確認できるようにしてもよい。かかる構成によれば、外枠体３を不透明材料で形成した場合であっても突き刺し管２２による詰め替え用包装体５への突き刺しを確認することができる。
【００６９】
更にまた、図８の（Ａ）〜（Ｄ）に示すように、内枠体４は収容する詰め替え用包装体５を安定した状態で保持できる構成であれば一部に開口部４４｛図８の（Ａ）〜（Ｃ）参照｝や上部まで貫通した上部開放開口部４５｛図８の（Ｄ）参照｝を形成してもよい。かかる構成によれば、詰め替え用包装体５内の溶液の残量の確認等が可能となる。
【００７０】
外枠体３及び／又は内枠体４の一部に開口部を形成する態様の場合、該外枠体３及び／又は内枠体４の少なくとも一部を透明ないし半透明の材料で形成する構成との併用であってもよい。
【００７１】
更に、突き刺し管２２は、先鋭な先端２５を構成する部分に入口を有する吸液部２６に加えて、図９に示すように、突き刺し管２２の突き刺し部分の上方側部であって吸液部２６と直交する方向に穿かれた小窓孔からなる側方吸液部２７｛図９の（Ａ）参照｝や、突き刺し管２２の突き刺し部分の側方であって吸液部２６と直交する方向に穿かれた小孔からなる側方吸液部２８｛図９の（Ｂ）参照｝を形成してもよい。かかる構成によれば、詰め替え用包装体５が使用にするバキューム効果によって収縮し突き刺し管２２の先端２５が閉塞したとしても、上記側方吸液部２７又は２８から最後まで溶液を抽出することが可能となる。
【図面の簡単な説明】
【００７２】
【図１】本発明に係るポンプ付き液体容器の一実施例を示す拡散分解正面図及び正面図
【図２】外枠体と内枠体との嵌挿状態を説明する概略説明図
【図３】突き刺し管の先端が詰め替え用包装体の突き刺し箇所に接した際の外枠体の下端部と内枠体の上端部との重なり状態を説明する概略説明図
【図４】内枠体に詰め替え用包装体を収容した状態を示す正面図
【図５】内枠体の底部の一例を示す底面図
【図６】外枠体及び内枠体の端面形状を示す端面図
【図７】外枠体の他の実施例を示す正面図
【図８】内枠体の他の実施例を示す正面図
【図９】突き刺し管の吸液部の他の実施例を示す要部正面図
【符号の説明】
【００７３】
１  ポンプ付き液体容器
２  ポンプ部
２１  注出口
２２  突き刺し管
２３  押下操作部
２４  螺合部
２５  突き刺し管の先端
２６  吸液部
２７  側方吸液部
２８  側方吸液部
３  外枠体
３１  下端部
３２  凸条螺旋部
３３  開口部
４  内枠体
４１  上端部
４１Ａ〜４１Ｅ  上端部の高さ位置
４２  凸条螺旋部
４３  空気抜き透孔
４４  開口部
４５  上部開放開口部
５  詰め替え用包装体
５１  突き刺し箇所
５２  上端
Ｌ  外枠体の下端部と内枠体の上端部との重なり
【図１】
0005097004.tif 000002
【図２】
0005097004.tif 000003
【図３】
0005097004.tif 000004
【図４】
0005097004.tif 000005
【図５】
0005097004.tif 000006
【図６】
0005097004.tif 000007
【図７】
0005097004.tif 000008
【図８】
0005097004.tif 000009
【図９】
0005097004.tif 000010